(57)【要約】      （修正有）【課題】浴室から脱衣室側への漏水を抑えた上で、より一層のバリアフリー化を図ることができるようにする。【解決手段】左右の縦枠１３間には、下枠１２の上面部１５の一部を覆う傾斜面を有するスロープ材４０と、スロープ材４０の両側に配置され、スロープ材４０と同様の傾斜面を有し、内部に第２空間を有する端部部材５０とが設けられる。閉じ状態の障子は、その浴室側がシール材２６を介してスロープ材４０に当接し、その脱衣室側がシール材を介して上面部１５に当接する。シール材とスロープ材４０の当接部分と、シール材と上面部１５の当接部分との間には、排水経路Ｘが形成される。端部部材５０には、第２空間と排水経路Ｘとを連通する開口部と、第２空間と浴室とを連通する排水口とが形成される。開口部には、排水経路Ｘから第２空間への水の流れを許容し、第２空間から排水経路Ｘへの水の流れを阻止する排水弁が設けられる。【選択図】図３
2006138159.tif 000002
【特許請求の範囲】
【請求項１】
浴室と脱衣室との間の出入口に取り付けられ、上枠、下枠、および左右の縦枠を四周枠組みして構成された枠体と、この枠体に対して開閉自在に取り付けられた障子とを備える建具であって、
前記左右の縦枠間には、前記下枠の前記浴室側を覆うとともに、前記浴室の床面と前記脱衣室の床面との段差を緩やかにする傾斜面が形成されたスロープ材と、このスロープ材の左右の少なくともいずれか一方側に配置され、前記スロープ材の傾斜面と略同様の傾斜面が形成された端部部材とが設けられ、
前記障子は、閉じた状態で、その浴室側部分が前記スロープ材に直接または間接的に当接するとともに、その脱衣室側部分が前記スロープ材よりも前記脱衣室側で前記下枠に直接または間接的に当接し、
前記下枠において、前記障子の浴室側部分と前記スロープ材とが直接または間接的に当接する部分と、前記障子の脱衣室側部分と当該下枠とが直接または間接的に当接する部分との間には見付け方向に排水経路が形成され、
前記端部部材は、その内部に中空空間を有し、当該端部部材には、前記中空空間と前記排水経路とを連通する開口部と、前記中空空間と前記浴室とを連通する排水口とが形成されていることを特徴とする建具。
【請求項２】
前記端部部材は、前記排水経路から前記中空空間への水の流れを許容し、前記中空空間から前記排水経路への水の流れを阻止する排水弁を備えることを特徴とする請求項１に記載の建具。
【請求項３】
前記端部部材の排水口は、前記端部部材の浴室側面と前記浴室の床面との間に形成されたスリットであることを特徴とする請求項１または２に記載の建具。
【請求項４】
前記下枠上面部の表面には、少なくとも前記中空空間に対応する位置に、当該表面に溜まった水の表面張力を破壊する溝部が形成されていることを特徴とする請求項１〜３のいずれかに記載の建具。
【請求項５】
前記スロープ材および前記端部部材は、前記下枠に対して着脱自在に取り付けられていることを特徴とする請求項１〜４のいずれかに記載の建具。
【発明の詳細な説明】
【技術分野】
【０００１】
本発明は、建具に関し、特に、浴室から脱衣室側への漏水を抑えた上で、より一層のバリアフリー化を図ることができる建具に関する。
【背景技術】
【０００２】
近年、高齢者や障害者等に対応すべく、浴室と脱衣室との間の出入口に取り付けられる建具には、浴室と脱衣室との段差を２０ｍｍ以下に抑えたバリアフリータイプのものが多用されている。このような建具としては、例えば、特許文献１に示すものがある。
【０００３】
特許文献１に示す建具では、浴室と脱衣室との間の出入口の浴室側にスロープ材が設けられている。この建具の下枠には、スロープ材の両側にあたる位置に、当該下枠内に進入した水を排水するための排水口が浴室に面するように形成されている。また、スロープ材の両側には、排水口に連通する溝状の排水路が排水口から浴室側へ向かって形成された排水専用部材が設けられている。このような建具によれば、スロープ材によって段差を緩やかにしたので、バリアフリーに対応することができる。また、スロープ材を越えて下枠内に水が浸入したとしても、この水を排水口から排水路を通って浴室へ戻すことができ、脱衣室側への漏水を防止できる。
【特許文献１】特許３５４６７６０号公報
【発明の開示】
【発明が解決しようとする課題】
【０００４】
しかしながら、排水専用部材に形成された排水路が溝状であるため、例えば、この溝部分に、障害者等が使用する車いすの車輪や、人間の脚等がはまりこむ可能性があり、バリアフリー対応が十分ではないという問題がある。
【０００５】
本発明の目的は、浴室から脱衣室側への漏水を抑えた上で、より一層のバリアフリー化を図ることができる建具を提供することにある。
【課題を解決するための手段】
【０００６】
本発明は、浴室と脱衣室との間の出入口に取り付けられ、上枠、下枠、および左右の縦枠を四周枠組みして構成された枠体と、この枠体に対して開閉自在に取り付けられた障子とを備える建具であって、前記左右の縦枠間には、前記下枠の前記浴室側を覆うとともに、前記浴室の床面と前記脱衣室の床面との段差を緩やかにする傾斜面が形成されたスロープ材と、このスロープ材の左右の少なくともいずれか一方側に配置され、前記スロープ材の傾斜面と略同様の傾斜面が形成された端部部材とが設けられ、前記障子は、閉じた状態で、その浴室側部分が前記スロープ材に直接または間接的に当接するとともに、その脱衣室側部分が前記スロープ材よりも前記脱衣室側で前記下枠に直接または間接的に当接し、前記下枠において、前記障子の浴室側部分と前記スロープ材とが直接または間接的に当接する部分と、前記障子の脱衣室側部分と当該下枠とが直接または間接的に当接する部分との間には見付け方向に排水経路が形成され、前記端部部材は、その内部に中空空間を有し、当該端部部材には、前記中空空間と前記排水経路とを連通する開口部と、前記中空空間と前記浴室とを連通する排水口とが形成されていることを特徴とする。
【０００７】
本発明によれば、端部部材にもスロープ材と同様の傾斜面を設けるとともに、その内部の中空空間に排水用の経路を設ける構成としたので、従来のように溝状に形成された排水経路の場合のように、高齢者等の脚や車いすの車輪等が挟まるおそれがなく、より一層のバリアフリー化を図ることができる。
【０００８】
また、浴室側から水が流れたきた場合には、障子の浴室側部分とスロープ材との当接部分で跳ね返されて浴室へと戻される。さらに、水流が強く、前記当接部分を越えた場合でも、その進入してきた水は、障子の脱衣室側部分と上面部との当接部分によって堰き止められた後、排水経路を通って開口部から中空空間へと流れこみ、排水口から浴室へと戻される。このため、浴室からの水が脱衣室側へと漏水することを抑えることができる。
【０００９】
ここで、前記端部部材は、前記排水経路から前記中空空間への水の流れを許容し、前記中空空間から前記排水経路への水の流れを阻止する排水弁を備えてもよい。このような構成によれば、排水口から端部部材の中空空間内に水が逆流したとしても、排水弁により排水経路側への逆流が抑えられるため、中空空間内に進入した水が排水経路側、すなわち脱衣室側へと溢れ出るのを確実に防止できる。
【００１０】
以上の建具において、前記端部部材の排水口は、前記端部部材の浴室側面と前記浴室の床面との間に形成されたスリットであってもよい。このような構成によれば、排水口が比較的小さな寸法のスリット状として形成されるため、浴室側の水が排水口を通って排水経路側へと逆流することを抑えることができる。
【００１１】
以上の建具において、前記下枠上面部の表面には、少なくとも前記中空空間に対応する位置に、当該表面に溜まった水の表面張力を破壊する溝部が形成されてもよい。このような構成によれば、中空空間における上面部の表面に水が残ったとしても、この残水の表面張力を溝部によって破壊して例えば排水口へと導くことができるため、中空空間内を常に乾燥した清浄な状態に保つことができる。
【００１２】
以上の建具において、前記スロープ材および前記端部部材は、前記下枠に対して着脱自在に取り付けられてもよい。このような構成によれば、スロープ材や端部部材を適宜取り外すことにより、スロープ材や端部部材と浴室の床面との間を簡単に清掃できる。
【発明の効果】
【００１３】
本発明の建具によれば、浴室から脱衣室側への漏水を抑えた上で、より一層のバリアフリー化を図ることができるという効果がある。
【発明を実施するための最良の形態】
【００１４】
［第１実施形態］
以下、本発明の第１実施形態に係る建具について、図面を参照して説明する。
図１に示すように、建具１は、枠体１０と、枠体１０に対して開閉自在に取り付けられる障子２０とを備えている。枠体１０は、上枠１１と、下枠１２と、左右の縦枠１３とを四周枠組みして形成されている。各枠１１〜１３は、例えばアルミ押し出し形材により構成されている。
【００１５】
障子２０は、上框２１、下框２２、および左右の竪框２３を四周框組みして形成される框体２４と、框体２４の内側に組み込まれる面材２５とを備えている。各框２１〜２３は、例えばアルミ押し出し形材により構成されている。一方の竪框２３の上下には、下枠１２に設けられたピボット７１（図３）に係合する凹部（図示略）が形成され、障子２０は、この凹部とピボット７１との係合部分を軸として枠体１０に対して回動し、片開き式の開き戸として機能する。また、図２に示すように、下框２２の浴室側面２２Ａと脱衣室側面２２Ｂには、シール材２６，２７がそれぞれ取り付けられている。なお、シール材２６，２７の機能については後述する。
【００１６】
次に、建具１の下枠部分の構成について説明する。
図２に示すように、建具１は、浴室と脱衣室との間の出入口に取り付けられている。下枠１２は、浴室の床面２と略同一の高さレベルとなるように浴室側に設けられた上面部１５と、この上面部１５から立ち上がって脱衣室側へと延び、脱衣室の床面３にビス止めされる取付部１６とを備えている。なお、浴室の床面２と脱衣室の床面３との段差は、例えば５〜１５ｍｍ程度以下となっており、バリアフリーの公的な設計指針（段差２０ｍｍ以下）を十分に満たしている。
【００１７】
上面部１５の上側には、取付部１６の立ち上がり部分との間に取付部材３０を取り付けるための突起１７が形成されている。取付部材３０には、障子２０を閉じた状態で、下框２２の脱衣室側面２２Ｂに取り付けられたシール材２７に当接する例えば樹脂製又はゴム製の当接部材３１が取り付けられる。また、上面部１５の上側には、突起１７より浴室側へ離間した位置から浴室側にかけてスロープ材４０が設けられている。突起１７とスロープ材４０との間の溝状の空間は、スロープ材４０の上を通って脱衣室側へと流れてきた水を排水する排水経路Ｘとして機能する。ここで、シール材２７と当接部材３１とが当接していることにより、この当接部分が、浴室から流れてくる水の二次的な止水ラインとして機能する。
【００１８】
また、図３に示すように、スロープ材４０は、上面部１５の中央部分を覆うように設けられている。スロープ材４０には、浴室に向かって下り勾配の傾斜面が形成され、脱衣室の床面３と浴室の床面２との段差を緩和している。また、スロープ材４０の両端側、すなわち左右の縦枠１３側には、端部部材５０がそれぞれ設けられている。なお、図３では、浴室から見て右側の端部部材５０を図示しているが、左側の端部部材も、図３に示す右側の端部部材５０と同様の構成である。図３に示すように、端部部材５０は、スロープ材４０と、ピボット７１との間に設けられている。
【００１９】
図２に示すように、スロープ材４０および端部部材５０（図３）の上面には、下框２２の浴室側面２２Ａに取り付けられたシール材２６の先端が当接し、この当接部分が、浴室から流れてくる水の一次的な止水ラインとして機能する。
【００２０】
図４は、端部部材５０を後方から見た状態を示す斜視図である。同図に示すように、端部部材５０には、スロープ材４０と同様に、浴室に向かって下り勾配の傾斜面が形成されている。端部部材５０は、内部が中空状に形成された本体５１と、本体５１に取り付けられる排水弁５２とを備えている。
【００２１】
図５に示すように、本体５１の内部は、仕切板５３によって、スロープ材４０側となる第１空間６１と、縦枠１３側となる第２空間６２との２つの空間に区画されている。本体５１の第１空間６１側の部分には、下枠１２に固定するための凹状の固定部６２Ａが設けられ、この固定部６２Ａの上にカバー材６３が取り付けられている。
【００２２】
図４に示すように、本体５１の前記第２空間６２側の後方側面５１Ａには、開口部６４が形成されている。後方側面５１Ａにおける開口部６４の上側には、開口部６４側に向かって突出する突起（図示略）が設けられ、この突起に対して排水弁５２が回動自在に取り付けられている。また、後方側面５１Ａにおける開口部６４の下側には、開口部６４側へ突出する突出部６５が形成されており、この突出部６５に排水弁５２の下端部が当接することにより、排水弁５２は、脱衣室側へ開かないように動きが規制されている。つまり、排水弁５２は、排水経路Ｘから第２空間６２への水の流れを許容し、第２空間６２から排水経路Ｘへの水の流れを阻止する逆止弁として機能している。
【００２３】
また、図５に示すように、本体５１の第２空間６２側の前方側面５１Ｂには、浴室の床面２との間に、下枠１２の長手方向に沿って延びるスリット状の小さな排水口６６が形成されている。また、図示を省略するが、下枠１２の上面の第２空間６２側の位置には、当該上面上に溜まった水の表面張力を破壊して、当該水を排水口６６側へと導く溝が形成されている。
【００２４】
次に、建具１の排水機能について説明する。
浴槽の水が溢れた場合等には、浴室側から流れてきた水が少量であれば、その水は、スロープ材４０によって跳ね返され浴室側へ戻される。また、浴室側から多量の水が流れてきた場合には、この流れてきた水は、スロープ材４０を上って流れてくるものの、基本的には下框２２の浴室側面２２Ａに取り付けられた第１次止水ラインを構成するシール材２６によって跳ね返され浴室へと戻される。さらに、水流が強く水が第１次止水ラインを越えた場合には、その水は、下框２２の脱衣室側面２２Ｂに取り付けられた第２次止水ラインを構成するシール材２７によって堰き止められる。この堰き止められた水は、排水経路Ｘを通った後排水弁５２を中空空間側へ押し開けて開口部６４内に入り込み、排水口６６から浴室へと戻される。なお、下枠１２の上面に残った水も、下枠１２の上面に形成された前記溝によって表面張力が壊されて排水口６６から浴室へ戻される。
【００２５】
一方、浴槽から溢れた水が、排水口６６から端部部材５０内に逆流することもある。この場合も、上記のように排水弁５２が第２空間６２から脱衣室側への流れを阻止する逆止弁として機能するため、排水口６６から端部部材５０内に水が逆流しても、この水がシール材２７を越えて脱衣室側へ漏れることはなく、第２空間６２内に溜まることになる。第２空間６２内に溜まった水は、水圧が納まった後に、排水口６６から浴室へ戻される。
【００２６】
本実施形態によれば、以下のような効果がある。
(１)浴室と脱衣室との間の段差部分を５〜１５ｍｍ程度以下とした上で、この段差部分に浴室側へ傾斜した傾斜面を有するスロープ材４０を配置したので、障害者や高齢者等が段差を感じにくくなり、より一層バリアフリー化を図ることができる。また、端部部材５０にも、スロープ材４０と同様の傾斜面を設け、その内部に排水用の経路を設ける構成としたので、従来の溝状の排水経路を設ける場合のように、高齢者等の脚や車いすの車輪等が挟まるおそれもなく、より一層のバリアフリー化を図ることができる。
【００２７】
(２)端部部材５０の後方側面５１Ａに排水弁５２を設けたので、排水口６６から端部部材５０内に進入した水が排水経路Ｘ側、すなわち脱衣室側へと溢れるのを確実に防止できる。
【００２８】
(３)排水口６６を、下枠１２の長手方向に沿って延びるスリット状の小さな寸法で形成したため、浴室側の水が排水口６６から逆流しにくくなり、脱衣室側への漏水をより一層確実に防止できる。
【００２９】
(４)排水口６６を、下枠１２の長手方向の両端部側、すなわち左右の縦枠１３側にそれぞれ設けたので、排水口６６から浴室側へ流れる水が浴室の端部側を流れることとなり、排水時の見た目が向上する。また、中空状に形成された端部部材５０を、人の出入りの影響を受けにくい左右の縦枠１３側に設けたので、利用者によって踏みつけられることが少なくなり破損を防止できる。
【００３０】
(５)スロープ材４０および端部部材５０を下枠１２から着脱可能な構成としたので、スロープ材４０や端部部材５０を適宜取り外すことにより、スロープ材４０および端部部材５０と浴室の床面２との間を簡単に清掃できる。さらに、このように着脱可能な構成であるため、例えば、車いすの車輪等によってその表面が損傷した場合などでも、スロープ材４０や端部部材５０を簡単に交換することができる。
【００３１】
(６)下枠１２の上面の第２空間６２側の位置に溝部を形成したので、当該上面上に溜まった水の表面張力を破壊して排水口６６へと導くことができ、第２空間６２内を常に乾燥した清浄な状態に保つことができる。
【００３２】
［第２実施形態］
次に、本発明の第２実施形態について説明する。なお、前記第１実施形態と同様または相当する構成部品には、同じ符号を付してその説明を省略または簡略化する。図６は、第２実施形態に係る建具１００の要部である下枠部分を拡大して示す縦断面図である。図６に示すように、本実施形態の建具１００は、第１実施形態の建具１の開き戸とは異なり、折戸として構成されている。
【００３３】
図６に示すように、建具１００は、枠体１０と、枠体１０の下枠１２に形成されたレール８０に沿って摺動して開閉可能な折戸である障子２０とを備えている。障子２０の下框２２の浴室側面２２Ａには、スロープ材４０および端部部材５０の上面に当接するシール材２６が取り付けられている。このため、シール材２６とスロープ材４０および端部部材５０の上面との当接部分が第１次止水ラインとして機能する。また、障子２０の下框２２の脱衣室側面２２Ｂは、第１実施形態のようなシール材が設けられておらず、当接部材３１に直接当接している。このため、下框２２の脱衣室側面２２Ｂと当接部材３１との当接部分が第２次止水ラインとして機能する。これらの第１次止水ラインと第２次止水ラインとの間には、レール８０に沿って排水経路Ｘが形成されている。以上の構成により、本実施形態においても、前記第１実施形態と同様に排水機能を発揮することができるため、前記第１実施形態の(１)〜(６)と略同様の効果を奏することができる。
【００３４】
なお、本発明は、前記各実施形態には限定されない。前記各実施形態では、建具を開き戸や折戸としたが、例えば、引戸としてもよく、要するに、障子の浴室側面とスロープ材４０や端部部材５０の上面とが、直接または間接的に当接して一次止水ラインを形成し、かつ、障子の脱衣室側面と下枠１２とが直接または間接的に当接して二次止水ラインを形成するように構成するものであれば、障子の開閉形態は限定されない。
【００３５】
また、前記各実施形態では、端部部材５０の後方側面５１Ａに排水弁５２を取り付けたが、排水口６６を小さく形成する等して排水口６６からの逆流が起こり難い場合には、特に設けなくてもよい。また、排水口６６をスリット状に形成したが、この形状には限定されない。
【図面の簡単な説明】
【００３６】
【図１】本発明の第１実施形態に係る建具を示す正面図である。
【図２】前記建具の下部側を示す縦断面図である。
【図３】前記建具の下枠における縦枠側の部分を拡大して示す斜視図である。
【図４】前記建具の端部部材を後方から見た状態を示す斜視図である。
【図５】前記端部部材を前方から見た状態を示す斜視図である。
【図６】本発明の第２実施形態に係る建具の下部側を示す縦断面図である。
【符号の説明】
【００３７】
１，１００  建具
２    浴室の床面
３    脱衣室の床面
１０  枠体
１１  上枠
１２  下枠
１３  縦枠
２０  障子
２６，２７  シール材
４０  スロープ材
５０  端部部材
５１  本体
５２  排水弁
６１  第１空間
６２  第２空間（中空空間）
６４  開口部
６６  排水口
Ｘ    排水経路
【図１】
2006138159.tif 000003
【図３】
2006138159.tif 000004
【図４】
2006138159.tif 000005
【図５】
2006138159.tif 000006
【図２】
2006138159.tif 000007
【図６】
2006138159.tif 000008